(57)【要約】【課題】  ゴルフバッグ本体を傾斜させ、押し上げロッドによって一対の支脚を外側方に押し広げて開脚させるスタンド型ゴルフバッグにおいて、ゴルフバッグの内部に収納したゴルフクラブ等の重量が重くなった場合でも、上記一対の支脚が容易に外側方に広がるようにする。【解決手段】  ゴルフバッグ本体１２と、ゴルフバッグ本体に取り付けられた支脚３０と、ゴルフバッグ本体の下端に取り付けられた押し上げ板３４と、上端が支脚、下端が押し上げ板に連結された押し上げロッド３６とを具備し、ゴルフバッグ本体を傾斜させて押し上げ板を回動させ、押し上げ板の回動を押し上げロッドを介して支脚に伝達することにより、支脚を外側方に押し広げて開脚させるゴルフバッグにおいて、押し上げロッドを内側から支持する支持ベルト１０２をゴルフバッグ本体に装着する。【選択図】      図１
2007089746.tif 000002
【特許請求の範囲】
【請求項１】
ゴルフバッグ本体と、前記ゴルフバッグ本体の上部外周に基端側が回動可能に取り付けられた一対の支脚と、前記ゴルフバッグ本体の下端に回動自在に取り付けられた押し上げ板と、上端が前記支脚の上端側に連結され、下端が前記押し上げ板に連結された一対の押し上げロッドとを具備し、前記ゴルフバッグ本体を傾斜させて前記押し上げ板を回動させ、該押し上げ板の回動を前記押し上げロッドを介して前記支脚に伝達することにより、前記一対の支脚を外側方に押し広げて開脚させるゴルフバッグにおいて、前記ゴルフバッグ本体を傾斜させて前記一対の支脚を外側方に押し広げて開脚させるときに前記押し上げロッドを内側から支持する支持ベルトを前記ゴルフバッグ本体に装着したことを特徴とするゴルフバッグ。
【請求項２】
前記支持ベルトとして長方形の支持ベルトをその長手方向が押し上げロッドの長手方向と直交するように押し上げロッドの内側に配し、該支持ベルトの長手方向両端部をゴルフバッグ本体に固着したことを特徴とする請求項１に記載のゴルフバッグ。
【請求項３】
前記ゴルフバッグ本体は、口枠と底板との間に複数本の棒材を配設した枠体の周囲に外装材を装着した軽量タイプのものであることを特徴とする請求項１または２に記載のゴルフバッグ。
【請求項４】
前記口枠の外周部に前記一対の支脚の基端側が回動可能に取り付けられ、前記底板の底面に前記押し上げ板の基端部が回動可能に取り付けられていることを特徴とする請求項３に記載のゴルフバッグ。
【発明の詳細な説明】
【技術分野】
【０００１】
本発明は、ゴルフクラブを収納するためのゴルフバッグに関し、さらに詳述すると、ゴルフバッグ本体を傾斜させた状態で自立させるための支脚を有するゴルフバッグに関する。
【背景技術】
【０００２】
従来、主にセルフプレーに使用するためのゴルフバッグとして、ゴルフバッグ本体を傾斜させた状態で自立させるための支脚を有する軽量のゴルフバッグが提案されている（例えば、特許文献１参照）。このようなゴルフバッグとして、例えば図４、図５に示すものがある。図４は支脚を畳んだ状態を示す正面図、図５は支脚を引き出した状態を示す斜視図である。
【０００３】
本例のゴルフバッグ１０において、１２は有底筒状のゴルフバッグ本体を示す。このゴルフバッグ本体１２は、硬質プラスチック製の口枠１４と底板１６との間に複数本（通常は３〜４本程度）の金属製あるいは硬質プラスチック製の棒材を配設して枠体を形成し、この枠体の周囲にナイロンやポリエステル、ウレタン等の布からなる外装材１８を装着した軽量タイプのものである。なお、図中２０、２２はファスナーにより開閉される物品収納ポケット、２４はファスナー２６により開閉される支脚収納ポケットを示す。
【０００４】
ゴルフバッグ本体１２の口枠１４の外周には、支脚収納ポケット２４の内部において硬質プラスチック製の軸受部材２８が固定され、この軸受部材２８に金属製あるいは硬質プラスチック製の棒材からなる一対の支脚３０、３０の基端部がそれぞれ取付軸により回動可能に取り付けられている。また、支脚３０、３０の基端部には硬質プラスチック製の制動部材３２が装着され、支脚３０、３０が基端部を支点として外側方に回動したときに、上記制動部材３２の上端が軸受部材２８の所定箇所に当たることにより、支脚３０、３０の回動角度が所定の角度に規制されるようになっている。
【０００５】
ゴルフバッグ本体１２の底板１６の底面には、硬質プラスチック製の押し上げ板３４の基端部が取付軸により回動可能に取り付けられている。また、金属製あるいは硬質プラスチック製の棒材からなる一対の押し上げロッド３６、３６の下端部が押し上げ板３４の先端部に取り付けられているとともに、押し上げロッド３６、３６の上端部は折り曲げられて前記制動部材３２の下部に形成された挿入穴３８に回動可能に挿入されている。なお、押し上げロッド３６、３６は、実際には１本の棒材を折曲した状態とすることにより形成されている。また、押し上げロッド３６、３６には、両者を固定する硬質プラスチック製の第１固定部材４０および第２固定部材４２がビスにより固定され、下側の第１固定部材４０には支脚３０、３０を畳んだときに支脚３０、３０が収納される収納凹部４４が形成されている。
【０００６】
さらに、ゴルフバッグ本体１２の底板１６の底面には、ゴルフバッグ本体１２を押し上げ板３４を支点として支脚３０、３０方向に傾斜させることができるように、支脚３０、３０側に傾斜面４６が形成され、ゴルフバッグ本体１２が直立しているときには上記傾斜面４６と押し上げ板３４とは離間している。また、上記底板１６には、押し上げロッド３６、３６を通すためのロッド通し孔４８が形成されている。
【０００７】
本例のゴルフバッグ１０は、ゴルフバッグ本体１２を押し上げ板３４を支点として支脚３０、３０方向に傾斜させ、押し上げ板３４を地面に押しつけてその基端部を支点として回動させることで、押し上げ板３４で押し上げロッド３６、３６を押し上げ、押し上げ板３４の回動を押し上げロッド３６、３６を介して支脚３０、３０に伝達し、押し上げロッド３６、３６で支脚３０、３０を押し広げて開脚させることにより、図５に示すように、支脚３０、３０によってゴルフバッグ本体１２を自立させるものである。
【０００８】
【特許文献１】特開平９−１８７５４１号公報
【発明の開示】
【発明が解決しようとする課題】
【０００９】
しかし、図４、図５に示したゴルフバッグ１０は、前述したようにゴルフバッグ本体１２を傾斜させ、押し上げロッド３６、３６で支脚３０、３０を押し広げて開脚させるときに、支脚３０、３０が外側方に広がりにくくなることがあった。すなわち、図４、図５に示したゴルフバッグ１０のゴルフバッグ本体１２は、口枠１４と底板１６との間に複数本の棒材を配設した枠体の周囲に外装材１８を装着した軽量タイプのものであり、硬質プラスチックからなる筒状の枠体を用いた非軽量タイプのゴルフバッグ本体に比べて強度が弱い。そのため、ゴルフバッグ１０の内部に収納したゴルフクラブ等の重量が重くなった場合には、ゴルフバッグ本体１２を傾斜させるときにゴルフバッグ本体１２が歪むなどして、押し上げ板３４の回動が押し上げロッド３６、３６を介して支脚３０、３０にうまく伝達されなくなり、その結果、支脚３０、３０が外側方に広がりにくくなると考えられる。
【００１０】
本発明は、前述した事情に鑑みてなされたもので、ゴルフバッグ本体を傾斜させ、ゴルフバッグ本体の下端に取り付けられた押し上げ板の回動を押し上げロッドを介して一対の支脚に伝達することにより、上記一対の支脚を外側方に押し広げて開脚させるスタンド型ゴルフバッグであって、ゴルフバッグの内部に収納したゴルフクラブ等の重量が重くなった場合でも、上記一対の支脚が容易に外側方に広がるようにしたゴルフバッグを提供することを目的とする。
【課題を解決するための手段】
【００１１】
本発明は、上記目的を達成するため、ゴルフバッグ本体と、前記ゴルフバッグ本体の上部外周に基端側が回動可能に取り付けられた一対の支脚と、前記ゴルフバッグ本体の下端に回動自在に取り付けられた押し上げ板と、上端が前記支脚の上端側に連結され、下端が前記押し上げ板に連結された一対の押し上げロッドとを具備し、前記ゴルフバッグ本体を傾斜させて前記押し上げ板を回動させ、該押し上げ板の回動を前記押し上げロッドを介して前記支脚に伝達することにより、前記一対の支脚を外側方に押し広げて開脚させるゴルフバッグにおいて、前記ゴルフバッグ本体を傾斜させて前記一対の支脚を外側方に押し広げて開脚させるときに前記押し上げロッドを内側から支持する支持ベルトを前記ゴルフバッグ本体に装着したことを特徴とするゴルフバッグを提供する。
【００１２】
本発明のゴルフバッグは、上述した支持ベルトをゴルフバッグ本体に装着したので、ゴルフバッグ本体を傾斜させ、押し上げロッドによって一対の支脚を外側方に押し広げて開脚させるときに、支持ベルトが押し上げロッドの内側に接触して該押し上げロッドを内側から支持するため、ゴルフバッグの内部に収納したゴルフクラブ等の重量が重くなり、ゴルフバッグ本体を傾斜させたときにゴルフバッグ本体が歪むなどした場合でも、上記支持ベルトの作用によって一対の支脚が容易に外側方に広がるようになる。
【００１３】
本発明において、支持ベルトの材質に限定はないが、ナイロン等の合成樹脂からなる実質的に伸縮性を有さないベルトであることが好ましい。また、支持ベルトの形状、寸法にも限定はないが、幅が２〜２０ｃｍ、より好ましくは３〜１０ｃｍの長方形のベルトを好適に使用することができる。この場合、上記長方形の支持ベルトをその長手方向が押し上げロッドの長手方向と直交するように押し上げロッドの内側に配し、この支持ベルトの長手方向両端部をゴルフバッグ本体に固着することが適当である。特に好ましいのは、ゴルフバッグ本体に支脚および押し上げロッドを収納する開閉可能な支脚収納ポケットを設け、この支脚収納ポケットの内部において、上述したように長方形の支持ベルトをその長手方向が押し上げロッドの長手方向と直交するように押し上げロッドの内側に配し、この支持ベルトの長手方向両端部をゴルフバッグ本体に固着することである。なお、支持ベルトは１本をゴルフバッグ本体に装着してもよく、複数本をゴルフバッグ本体に装着してもよい。
【００１４】
本発明において、ゴルフバッグ本体としては、口枠と底板との間に複数本の棒材を配設した枠体の周囲に外装材を装着した軽量タイプのものを好適に用いることができる。この場合、口枠の外周部に一対の支脚の基端側を回動可能に取り付け、底板の底面に押し上げ板の基端部を回動可能に取り付けることが適当である。
【発明の効果】
【００１５】
本発明のゴルフバッグは、ゴルフバッグ本体を自立させるための支脚が容易に外側方に広がるものである。
【発明を実施するための最良の形態】
【００１６】
以下、本発明の実施の形態を図面を参照して説明するが、本発明は下記例に限定されるものではない。図１および図２は本発明に係るゴルフバッグの一実施形態を示すもので、図１は支脚を畳んだ状態を示す正面図、図２は支脚を引き出した状態を示す斜視図である。図１、図２のゴルフバッグは、後述する支持ベルトをゴルフバッグ本体に装着したこと以外は、図４、図５に示したゴルフバッグと同一であるため、図１、図２において図４、図５と同一構成の部分には、同一の参照符号を付してその説明を省略する。
【００１７】
本例のゴルフバッグ１００は、押し上げロッド３６、３６を内側から支持する支持ベルト１０２がゴルフバッグ本体１２に装着されており、ゴルフバッグ本体１２を傾斜させて一対の支脚３０、３０を外側方に押し広げて開脚させるときに、上記支持ベルト１０２が押し上げロッド３６、３６を内側から支持するようになっている。
【００１８】
より具体的には、本例のゴルフバッグ１００では、ゴルフバッグ本体１２は、図３に模式的に示すように、支脚（図示せず）および押し上げロッド３６、３６を収納する開閉可能な支脚収納ポケット２４を有し、この支脚収納ポケット２４の内部において、ナイロン等の合成樹脂からなる実質的に伸縮性を有さない長方形の支持ベルト１０２をその長手方向が押し上げロッド３６、３６の長手方向と直交するように押し上げロッド３６、３６の内側に配し、この支持ベルト１０２の長手方向両端部をゴルフバッグ本体１２（支脚収納ポケット２４の内面）に固着してある。
【００１９】
本例のゴルフバッグ１００は、支持ベルト１０２をゴルフバッグ本体１２に装着したので、ゴルフバッグ本体１２を傾斜させ、押し上げロッド３６、３６によって一対の支脚３０、３０を外側方に押し広げて開脚させるときに、支持ベルト１０２が押し上げロッド３６、３６の内側に接触して押し上げロッド３６、３６を内側から支持するため、ゴルフバッグ１００の内部に収納したゴルフクラブ等の重量が重くなり、ゴルフバッグ本体１２を傾斜させたときにゴルフバッグ本体１２が歪むなどした場合でも、支持ベルト１０２の作用によって一対の支脚３０、３０が容易に外側方に広がるものである。
【００２０】
また、本例のゴルフバッグ１００は、支持ベルト１０２の長手方向両端部を支脚収納ポケット２４の内面に固着したので、プレーヤーが口枠１４を持ってゴルフバッグ本体１２を傾斜させ、押し上げ板３４を地面に押し当てたときに、支脚収納ポケット２４が横に広がることが支持ベルト１０２の作用によって防止される。
【００２１】
本例のゴルフバッグ１００は、前述したように、ゴルフバッグ本体１２として、口枠１４と底板１６との間に複数本の棒材を配設してなる枠体の周囲に外装材１８を装着した軽量タイプのもので、口枠１４の外周部に支脚３０、３０の基端側を取り付け、底板１６の底面に押し上げ板３４の基端部を取り付けたものである。この場合、上記枠体を形成する棒材としては、ステンレススチール、アルミニウム合金等の金属からなるものや、カーボン繊維強化樹脂、ポリカーボネート等の硬質プラスチックからなるものを用いることができるが、軽量化のためには硬質プラスチック製棒材、特にポリカーボネート製棒材を用いることが好ましい。支脚３０、押し上げロッド３６についても、軽量化のために硬質プラスチック製棒材、特にポリカーボネート製棒材を用いることが好ましい。また、上記外装材１８としては、軽量化の点でナイロン製の布からなるものが好ましく、特に表面に防水加工を施したものがよい。ゴルフバッグ本体１２の重量は、上述したような軽量化のための方策を採ることにより、１．５〜３．５ｋｇ、特に１．８〜３．０ｋｇとすることが適当である。
【００２２】
なお、本発明のゴルフバッグは上記実施形態に限定されるものではなく、例えばゴルフバッグ本体、支脚、押し上げ板、押し上げロッドの構造、形状、材質等は、本発明の要旨を逸脱しない範囲で種々の変更が可能である。
【図面の簡単な説明】
【００２３】
【図１】本発明の一実施形態に係るゴルフバッグの支脚を畳んだ状態を示す正面図である。
【図２】同ゴルフバッグの支脚を引き出した状態を示す斜視図である。
【図３】同ゴルフバッグのゴルフバッグ本体への支持ベルトの装着態様を模式的に示す図である。
【図４】スタンド型ゴルフバッグの一例の支脚を畳んだ状態を示す正面図である。
【図５】同ゴルフバッグの支脚を引き出した状態を示す斜視図である。
【符号の説明】
【００２４】
１２  ゴルフバッグ本体
１４  口枠
１６  底板
１８  外装材
３０  支脚
３４  押し上げ板
３６  押し上げロッド
１００  ゴルフバッグ
１０２  支持ベルト
【図１】
2007089746.tif 000003
【図２】
2007089746.tif 000004
【図３】
2007089746.tif 000005
【図４】
2007089746.tif 000006
【図５】
2007089746.tif 000007